(57)【要約】【課題】太陽電池複合型表示体において、表示部を横側から観察することができるようにする。【解決手段】太陽電池複合型表示体１０は、対向する一対の主面４０ａ，４０ｂを有したシート状の本体部４０と、本体部４０の一対の主面４０ａ，４０ｂのいずれかに対向して配置された太陽電池パネル５０と、を備え、本体部４０の一方の主面４０ａ上に、又は、本体部４０の内部に、本体部４０のシート面及び水平方向の両方に対して平行な方向に対して傾斜した複数の表示面１２が配列されている。【選択図】図１
2017181966.tif 000002
【特許請求の範囲】
【請求項１】
対向する一対の主面を有したシート状の本体部と、
前記本体部の前記一対の主面のいずれかに対向して配置された太陽電池パネルと、を備え、
前記本体部の一方の主面上に、又は、前記本体部の内部に、前記本体部のシート面及び水平方向の両方に対して平行な方向に対して傾斜した複数の表示面が配列されている、太陽電池複合型表示体。
【請求項２】
前記本体部の一方の主面上に配列され、各々が凸部又は凹部を形成する、複数の単位要素を有し、
各表示面は、各単位要素の表面上に配置されている、請求項１に記載の太陽電池複合型表示体。
【請求項３】
前記複数の単位要素は、前記一方の主面上の少なくとも一方向に沿って配列されている、請求項２に記載の太陽電池複合型表示体。
【請求項４】
前記複数の単位要素は、前記一方の主面と平行な第１方向と、前記一方の主面と平行且つ前記第１方向と交差する第２方向と、に離隔又は密着して配列されている、請求項２に記載の太陽電池複合型表示体。
【請求項５】
前記複数の表示面は、前記本体部の内部に、前記本体部のシート面と平行な少なくとも一方向に沿って配列されている、請求項１に記載の太陽電池複合型表示体。
【請求項６】
前記複数の表示面は、前記本体部のシート面と平行な第１方向と、前記本体部のシート面と平行且つ前記第１方向と交差する第２方向と、に離隔又は密着して配列されている、請求項５に記載の太陽電池複合型表示体。
【発明の詳細な説明】
【技術分野】
【０００１】
本発明は、表示を行うための表示面を含み、太陽電池パネルによる発電も行うことが可能な太陽電池複合型表示体に関する。
【背景技術】
【０００２】
このような太陽電池複合型表示体の一例として、特許文献１では、ソーラーパネルと、画像部及び透明部が交互に形成されたフィルムと、リニアアレイレンズと、を積層した装置が、提案されている。この装置では、リニアアレイレンズでの屈折により、上方からの光は、フィルムの透明部を透過してソーラーパネルに入射する。一方、下方からの光は、リニアアレイレンズでの屈折によって、フィルムの表示部に向かう。したがって、表示部の表示は、下方から観察されるようになる。
【先行技術文献】
【特許文献】
【０００３】
【特許文献１】特表２００９−５２４７９４
【発明の概要】
【発明が解決しようとする課題】
【０００４】
特許文献１に開示された太陽電池複合型表示体では、表示部の表示は、下方からしか観察できない。しかしながら、太陽電池複合型表示体の設置場所や設置角度、表示内容等によっては、他の方向とりわけ横方向から表示部を観察できることが好ましいこともある。
【０００５】
本発明は、以上の点を考慮してなされたものであり、太陽電池複合型表示体において、表示部を横方向から観察することができるようにすることを目的とする。
【課題を解決するための手段】
【０００６】
本発明による太陽電池複合型表示体は、
対向する一対の主面を有したシート状の本体部と、
前記本体部の前記一対の主面のいずれかに対向して配置された太陽電池パネルと、を備え、
前記本体部の一方の主面上に、又は、前記本体部の内部に、前記本体部のシート面及び水平方向の両方に対して平行な方向に対して傾斜した複数の表示面が配列されている。
【０００７】
本発明による太陽電池複合型表示体において、
前記本体部の一方の主面上に配列され、各々が凸部又は凹部を形成する、複数の単位要素を有し、
各表示面は、各単位要素の表面上に配置されていてもよい。
【０００８】
本発明による太陽電池複合型表示体において、
前記複数の単位要素は、前記一方の主面上の少なくとも一方向に沿って配列されていてもよい。
【０００９】
本発明による太陽電池複合型表示体において、
前記複数の単位要素は、前記一方の主面と平行な第１方向と、前記一方の主面と平行且つ前記第１方向と交差する第２方向と、に離隔又は密着して配列されていてもよい。
【００１０】
本発明による太陽電池複合型表示体において、
前記複数の表示面は、前記本体部の内部に、前記本体部のシート面と平行な少なくとも一方向に沿って配列されていてもよい。
【００１１】
本発明による太陽電池複合型表示体において、
前記複数の表示面は、前記本体部のシート面と平行な第１方向と、前記本体部のシート面と平行且つ前記第１方向と交差する第２方向と、に離隔又は密着して配列されていてもよい。
【発明の効果】
【００１２】
本発明によれば、太陽電池複合型表示体において、表示部を横方向から観察することができる。
【図面の簡単な説明】
【００１３】
【図１】図１は、本発明の第１の実施形態を説明するための図面であって、太陽電池複合型表示体を示す斜視図である。
【図２】図２は、図１のＩＩ−ＩＩ線に沿った断面図である。
【図３】図３は、図１のＩＩＩ−ＩＩＩ線に沿った断面図である。
【図４】図４は、太陽電池複合型表示体に表示される表示対象の一例を示す図である。
【図５】図５は、図２に対応する図であって、光制御シートの一変形例を説明するための図である。
【図６】図６は、図３に対応する図であって、光制御シートの他の変形例を説明するための図である。
【図７】図７は、図３に対応する図であって、光制御シートのさらに他の変形例を説明するための図である。
【図８】図８は、光学要素部を示す部分斜視図であって、光制御シートのさらに他の変形例を説明するための図である。
【図９】図９は、光制御シートを示す平面図であって、光制御シートのさらに他の変形例を説明するための図である。
【図１０】図１０は、光学要素部を示す部分斜視図であって、光制御シートのさらに他の変形例を説明するための図である。
【図１１】図１１は、光学要素部を示す部分斜視図であって、光制御シートのさらに他の変形例を説明するための図である。
【図１２】図１２は、単位要素の配列を示す平面図であって、光制御シートのさらに他の変形例を説明するための図である。
【図１３】図１３は、光学要素部を示す部分斜視図であって、光制御シートのさらに他の変形例を説明するための図である。
【図１４】図１４は、光学要素部を示す部分斜視図であって、光制御シートのさらに他の変形例を説明するための図である。
【図１５】図１５は、光学要素部を示す部分斜視図であって、光制御シートのさらに他の変形例を説明するための図である。
【図１６】図１６は、光学要素部を示す部分斜視図であって、光制御シートのさらに他の変形例を説明するための図である。
【図１７】図１７は、光学要素部を示す部分斜視図であって、光制御シートのさらに他の変形例を説明するための図である。
【図１８】図１８は、光学要素部を示す部分斜視図であって、光制御シートのさらに他の変形例を説明するための図である。
【図１９】図１９は、光制御シートを示す平面図であって、光制御シートのさらに他の変形例を説明するための図である。
【図２０】図２０は、光制御シートを太陽電池パネルとともに示す斜視図であって、光制御シートのさらに他の変形例を説明するための図である。
【図２１】図２１は、光制御シートを太陽電池パネルとともに示す斜視図であって、光制御シートのさらに他の変形例を説明するための図である。
【図２２】図２２は、光制御シートを太陽電池パネルとともに示す斜視図であって、光制御シートのさらに他の変形例を説明するための図である。
【図２３】図２３は、光制御シートを太陽電池パネルとともに示す斜視図であって、光制御シートのさらに他の変形例を説明するための図である。
【図２４】図２４は、光制御シートを太陽電池パネルとともに示す斜視図であって、光制御シートのさらに他の変形例を説明するための図である。
【図２５】図２５は、光制御シートを太陽電池パネルとともに示す斜視図であって、光制御シートのさらに他の変形例を説明するための図である。
【図２６】図２６は、光制御シートを太陽電池パネルとともに示す斜視図であって、光制御シートのさらに他の変形例を説明するための図である。
【図２７】図２７は、光制御シートを太陽電池パネルとともに示す斜視図であって、光制御シートのさらに他の変形例を説明するための図である。
【図２８】図２８は、光制御シートを太陽電池パネルとともに示す斜視図であって、光制御シートのさらに他の変形例を説明するための図である。
【図２９】図２９は、本発明の第２の実施形態を説明するための図面であって、太陽電池複合型表示体を示す斜視図である。
【図３０】図３０は、図２９のＸＸＸ−ＸＸＸ線に沿った断面図である。
【図３１】図３１は、光制御シートを太陽電池パネルとともに示す斜視図であって、光制御シートの一変形例を説明するための図である。
【図３２】図３２は、光制御シートを太陽電池パネルとともに示す斜視図であって、光制御シートの他の変形例を説明するための図である。
【図３３】図３３は、光制御シートを太陽電池パネルとともに示す斜視図であって、光制御シートのさらに他の変形例を説明するための図である。
【図３４】図３４は、光制御シートを太陽電池パネルとともに示す斜視図であって、光制御シートのさらに他の変形例を説明するための図である。
【図３５】図３５は、光制御シートを太陽電池パネルとともに示す斜視図であって、光制御シートのさらに他の変形例を説明するための図である。
【図３６】図３６は、光制御シートを太陽電池パネルとともに示す斜視図であって、光制御シートのさらに他の変形例を説明するための図である。
【図３７】図３７は、光制御シートを太陽電池パネルとともに示す斜視図であって、光制御シートのさらに他の変形例を説明するための図である。
【発明を実施するための形態】
【００１４】
以下、図面を参照して実施の形態について説明する。なお、本件明細書に添付する図面においては、図示と理解のしやすさの便宜上、適宜縮尺及び縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１５】
（第１の実施形態）
図１〜図２８は、第１の実施形態及びその変形例を説明するための図である。このうち図１は、太陽電池複合型表示体１０の構成を示す斜視図であり、図２及び図３は、それぞれ、太陽電池複合型表示体１０の縦断面図又は横断面図である。図４は、太陽電池複合型表示体１０を横方向から観察した場合に観察される表示対象を示す図である。一方、図５〜図２８は、変形例を説明するための図である。
【００１６】
図１〜図３に示されているように、本実施形態の太陽電池複合型表示体１０は、対向する一対の主面４０ａ，４０ｂを有したシート状の本体部４０を有する光制御シート２０と、光制御シート２０の本体部４０の主面４０ｂに対向して配置された太陽電池パネル５０と、を有している。図示された例では、光制御シート２０は、太陽電池複合型表示体１０の表面１０ａを形成し、太陽電池パネル５０は、太陽電池複合型表示体１０の裏面１０ｂを形成している。表面１０ａは、太陽電池複合型表示体１０へ入射する太陽光等の外光等が入射する入射面をなす。ここで説明する太陽電池複合型表示体１０は、所定の表示機能及び外光を利用した発電機能の両方を発揮する。図１に示す太陽電池複合型表示体１０は、二次元配列された、すなわち平面状に分散して配置された複数の単位要素３０を有している。
【００１７】
本実施形態の太陽電池複合型表示体１０の表面１０ａには、表示対象１３（図４参照）を可視化する表示要素１１が設けられている。図４に示された例では、各単位要素３０の要素面３１は、それぞれ４つの面（第１面３２ａ、第２面３２ｂ、第３面３２ｃ及び第４面３２ｄ）で構成されており、このうち、第３面３２ｃ上に表示要素１１が配置されている。
【００１８】
本実施形態による太陽電池複合型表示体１０の構成及び作用効果について説明する。図３に示すように、角度範囲ＡＲ３内の方向Ｄ３１，Ｄ３２から太陽電池複合型表示体１０を観察すると、主として要素面３１の第３面３２ｃを覆うように配置された表示要素１１が観察される。したがって、表示要素１１は、角度範囲ＡＲ３から太陽電池複合型表示体１０を観察する観察者に対して主として表示機能を発揮する。一方、別の角度範囲ＡＲ４内の方向から入射した光Ｌ３１，Ｌ３２は、主として単位要素３０の第４面３２ｄを透過して、太陽電池パネル５０に導かれる。したがって、太陽電池パネル５０は、角度範囲ＡＲ４から太陽電池複合型表示体１０へ入射する光に対して主として発電機能を発揮する。
【００１９】
以上のように、この太陽電池複合型表示体１０によれば、観察者からの観察方向と外光の入射方向との相違を利用して、観察者が表示要素１１を観察する際に太陽電池パネル５０が視認されることを抑制し、周囲との調和を図りながら太陽電池パネル５０で発電することを可能にしている。とりわけ図１〜図４に示された例では、単位要素３０の要素面３１を構成する４つの面３２ａ〜３２ｄのうちの１つの横側面３５（第３面３２ｃ）を覆うように表示要素１１が配置されており、これにより、横方向から表示対象１３が視認されることを可能にしている。
【００２０】
以下、本実施形態の太陽電池複合型表示体１０を構成する各部材の構成及び作用効果についてさらに詳述する。
【００２１】
光制御シート２０は、シート状の本体部４０と、本体部４０に積層された光学要素部２５と、を有している。このうち、本体部４０は、互いに対向する一対の主面として、第１面４０ａ及び第２面４０ｂを有している。第１面４０ａは、光学要素部２５と隣接する面を形成している。第２面４０ｂは、太陽電池パネル５０の受光面５０ａに対向している。
【００２２】
光学要素部２５は、互いに対向する一対の主面として、第１面２５ａ及び第２面２５ｂを有している。光学要素部２５の第１面２５ａは、太陽電池複合型表示体１０の表面１０ａを形成している。光学要素部２５の第２面２５ｂは、本体部４０の第１面４０ａに対向して配置されている。本体部４０及び光学要素部２５は、太陽電池複合型表示体１０に入射する光を効率よく透過させるよう、光透過性に優れた材料にて構成され、樹脂やガラスを用いることができる。本実施形態では主成分としてアクリル系樹脂を用いている。なお、本体部４０の第１面４０ａと光学要素部２５の第２面２５ｂとは、図２及び図３に示すように一体的に形成されていてもよいが、部分的な空隙や他の層を介して接合されていてもよい。
【００２３】
なお、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。一具体例として、「光制御シート」には、「光制御フィルム」や「光制御板」等と呼ばれる部材も含まれる。
【００２４】
また、本明細書において、「シート面（フィルム面、板面、パネル面）」とは、対象となるシート状の部材を全体的かつ大局的に見た場合において対象となるシート状部材の平面方向と一致する面のことを指す。以下に説明する実施形態においては、太陽電池複合型表示体１０のパネル面、後述する光制御シート２０のシート面、本体部４０のシート面、並びに、太陽電池パネル５０のパネル面は、互いに平行となっている。さらに、本明細書において、シート状（フィルム状、板状、パネル状）の部材に対して用いる「法線方向」とは、当該部材のシート面への法線方向のことを指す。
【００２５】
本体部４０の第１面４０ａに配置された光学要素部２５は、二次元配列された多数の単位要素３０を含んでいる。ここでいう単位要素３０とは、凸部又は凹部を形成する部位である。図示された例において、単位要素３０は、光学要素部２５に繰り返し現れる或る形状をその輪郭として有した１つの要素となっている。この単位要素３０は、錐体形状となる凸部を形成している。ただし、単位要素３０は、図示されたプリズム状の単位プリズムからなる例に限定されず、他の例として、レンズ面をもつ単位レンズであってもよい。また、単位要素３０は、本体部４０とは反対側を向く面（光学要素部２５の第１面２５ａ）すなわち太陽電池パネル５０と反対側の面に、要素面３１を形成している。要素面３１は、単位要素３０の表面によって規定される非平面の面であり、典型的には、複数の平面、１つ以上の曲面、あるいはこれらの面の組み合わせからなる。図示された例では、単位要素３０が錐体形状であることに対応して、要素面３１は、複数の平面を有している。
【００２６】
より具体的には、図示された太陽電池複合型表示体１０において、単位要素３０は、角錐形状、とりわけ四角錐形状の単位プリズムからなっている。また、単位要素３０がなす四角錐は、方錐、さらには正四角錐となっている。したがって、単位要素３０は、三角形状、とりわけ二等辺三角形状の四つの面３２ａ，３２ｂ，３２ｃ，３２ｄを含むことになる。単位要素３０は、四角形の底面が本体部４０の第１面４０ａ上に位置するようにして、本体部４０上に設けられている。単位要素３０の頂点を通過する底面への垂線は、本体部４０の法線方向に沿うようになっている。しかしながら、この例に限られず、単位要素３０の頂点を通過する底面への垂線は、本体部４０の法線方向ｎｄに対して傾斜していてもよい。
【００２７】
本実施形態において、単位要素３０は、本体部４０のシート面及び水平方向の両方に対して平行な方向に対して傾斜した横側面３５を有している。本明細書において、「本体部のシート面及び水平方向の両方に対して平行な方向に対して傾斜した」面とは、太陽電池複合型表示体１０が設置された状態において、本体部４０のシート面及び水平方向の両方に対して平行な方向と平行をなす面、及び、本体部４０のシート面及び水平方向の両方に対して平行な方向と直交する面、以外の面を意味している。図１〜図４に示された例では、単位要素３０の要素面３１の第３面３２ｃ及び第４面３２ｄが横側面３５をなしている。なお、横側面３５は、当該横側面３５への法線方向が、本体部４０のシート面に対して水平方向に傾斜している面ともいえる。なお、横側面３５は、本体部４０のシート面に対して水平方向に傾斜し且つ鉛直方向と平行をなす面、及び、本体部４０のシート面に対して水平方向及び鉛直方向の両方に傾斜している面、を含む。また、１つの面（例えば曲面）のうちの、本体部４０のシート面に対して水平方向に傾斜した部分も、横側面３５をなす。
【００２８】
図示された例において、複数の単位要素３０は、本体部４０の第１面４０ａ上において、第１方向ｄ１及び第２方向ｄ２の両方に配列されている。第１方向ｄ１及び第２方向ｄ２は、両方とも、本体部４０のシート面に沿っている。すなわち、第１方向ｄ１及び第２方向ｄ２は、両方とも、本体部４０の法線方向ｎｄに対して直交している。また、第１方向ｄ１及び第２方向ｄ２は非平行であり、とりわけ図示された例において直交している。したがって、複数の単位要素３０は、格子状、とりわけ正方格子状に配列されている。図示された例において、第１方向ｄ１が鉛直方向に沿うとともに第２方向ｄ２が水平方向に沿うように、太陽電池複合型表示体１０が保持されている。
【００２９】
図２は、第１方向ｄ１、及び、太陽電池パネル５０の法線方向すなわち本体部４０の法線方向ｎｄの両方に平行な断面を示している。一方、図３は、第２方向ｄ２、及び、太陽電池パネル５０の法線方向すなわち本体部４０の法線方向ｎｄの両方に平行な断面を示している。図２に示すように、各単位要素３０の要素面３１において、第１面３２ａが、第１方向ｄ１における第１側１ｓに位置し、第２面３２ｂが、第１方向ｄ１における第２側２ｓに位置している。図示された配置において、第１方向ｄ１における第１側１ｓは、鉛直方向における上側のことであり、第１方向ｄ１における第２側２ｓは、鉛直方向における下側のことである。また、図３に示すように、第３面３２ｃが、第２方向ｄ２における第３側３ｓに位置し、第４面３２ｄが、第２方向ｄ２における第４側４ｓに位置している。図示された配置において、第２方向ｄ２における第３側３ｓは、水平方向における西側のことであり、第２方向ｄ２における第４側４ｓは、水平方向における東側のことである。
【００３０】
図２〜図４に示すように、各単位要素３０の要素面３１の一部分を覆うようにして、表示要素１１が設けられている。ゆえに、複数の表示要素１１は、単位要素３０に対応して、単位要素３０の配列方向である第１方向ｄ１及び第２方向ｄ２の両方向に沿って配列されている。図示された例において、表示要素１１は単位要素３０の要素面３１のうちの１つの横側面３５（第３面３２ｃ）上に配置されている。したがって、表示要素１１は、対応する単位要素３０の要素面３１のうちの１つの横側面３５（第３面３２ｃ）を覆っている。とりわけ図示された例において、表示要素１１は、１つの横側面３５（第３面３２ｃ）の全領域を隙間無く覆っている。その一方で、表示要素１１は、対応する単位要素３０の第１面３２ａ、第２面３２ｂ及び第４面３２ｄからずれて配置されている。すなわち、表示要素１１は、第１面３２ａ、第２面３２ｂ及び第４面３２ｄを覆うことなく、第１面３２ａ、第２面３２ｂ及び第４面３２ｄを露出させている。表示要素１１の表示要素１１は、第２方向ｄ２における第３側３ｓ（水平方向における西側）を向くようにして、単位要素３０上に保持されている。すなわち、表示要素１１は、第２方向ｄ２における第３側３ｓを向くようにして、単位要素３０上に保持されている。
【００３１】
上述のように、太陽電池複合型表示体１０は、表面１０ａ側から観察されることが意図されており、各表示要素１１は、表示を行うための表示面１２を有している。図３から理解されるように、表示面１２は、法線方向ｎｄに対して第３側３ｓ（西側）に傾斜した方向Ｄ３１，Ｄ３２から観察したときに、視認され易くなる。したがって、表示面１２からの表示機能は、法線方向ｎｄに対して第３側３ｓに傾斜した方向（横方向）Ｄ３１，Ｄ３２から観察されたときに、効果的に発揮されるようになる。
【００３２】
図示された例において、複数の表示面１２の組み合わせによって表示対象１３を表示する。表示対象１３としては、図形、パターン、デザイン、色彩、絵、写真、キャラクターなどの絵柄（イメージ）や、文字、マーク、数字などの情報を例示することができる。表示対象１３は、静止していても動いていてもよい。とりわけ、表示面１２に動く表示対象１３を表示する場合、太陽電池パネル５０から発電された電気を駆動に用いることが簡便である。
【００３３】
図４に、表示面１２に付与される表示対象１３の一例が示されている。複数の表示面１２は、複数の単位要素３０に対応して、第１方向ｄ１に配列されるとともに、第２方向ｄ２にも配列されている。したがって、第１方向ｄ１及び第２方向ｄ２における各位置に位置する表示面１２が、それぞれ、塗り分けられて画素として機能することにより、二次元的な表示対象１３を表示することが可能となる。
【００３４】
とりわけ図４に示された例では、表示対象１３としての「Ｎ」の文字に対応する領域内の各単位要素３０の１つの横側面３５（第３面３２ｃ）上に設けられた表示要素１１の表示面１２は第１色を有している。また、表示対象１３としての「Ｎ」の文字以外（表示対象１３の周囲）に対応する領域内の各単位要素３０の第３面３２ｃ上に設けられた表示要素１１の表示面１２は第２色を有している。そして、第１色と第２色とは互いに異なる色を有している。これにより、太陽電池複合型表示体１０を、法線方向ｎｄに対して第３側３ｓ（横側、西側）に傾斜した方向Ｄ３１，Ｄ３２から観察した場合には、第１色と第２色との色の差により、表示対象１３としての「Ｎ」の文字が観察される。
【００３５】
なお、図４において、表示対象１３としての「Ｎ」の文字が途切れた態様で表示され連続して繋がった画素の組み合わせとして表示されていない。しかしながら、各表示要素１１の間の間隔は、十分に小さく設定されており、肉眼においては、表示対象１３としての「Ｎ」の文字が連続して繋がった画素として視認され得る点に留意されたい。
【００３６】
さて、図２及び図３に戻って、単位要素３０の要素面３１のうちの第１面３２ａ、第２面３２ｂ及び第４面３２ｄは、表示要素１１によって覆われていない。このため、第１面３２ａ、第２面３２ｂ及び第４面３２ｄに入射した光Ｌ２１，Ｌ２２，Ｌ２３，Ｌ２４，Ｌ３１，Ｌ３２は、これらの面３２ａ，３２ｂ，３２ｄを屈折しながら透過して、太陽電池パネル５０に向かっていく。すなわち、要素面３１のうちの表示要素１１に覆われていない面３２ａ，３２ｂ，３２ｄは、入射する光を太陽電池パネル５０の受光面５０ａに導く光透過領域として機能する。
【００３７】
太陽電池パネル５０の受光面５０ａで受光された光Ｌ２１，Ｌ２２，Ｌ２３，Ｌ２４，Ｌ３１，Ｌ３２は、太陽電池パネル５０に含まれる太陽電池素子にて発電に利用される。図示された例において、太陽電池パネル５０は、光制御シート２０に対向し、且つ、光制御シート２０から離間して配置されている。
【００３８】
図２及び図３に示すように、太陽電池パネル５０は、第１方向ｄ１及び第２方向ｄ２に配列された複数の単位要素３０に対向して、平面状に延び広がっている。図示された例において、太陽電池パネル５０は、本体部４０のシート面、言い換えると、太陽電池複合型表示体１０のパネル面と平行に延びている。したがって図示された例では、太陽電池パネル５０は、単位要素３０の配列方向である第１方向ｄ１及び第２方向ｄ２と平行に延び広がっている。なお、太陽電池パネル５０として、種々の既知な部材を用いることができ、特に限定されない。
【００３９】
以上の構成からなる太陽電池複合型表示体１０は、一例として、次の方法にて製造することができる。まず、透明樹脂を成型することにより、本体部４０及び単位要素３０を作製する。成型は、熱溶融押出加工や射出成型等を採用することができる。次に、単位要素３０の要素面３１の一部分上に表示要素１１を形成する。一例として、インクジェット印刷によって、要素面３１上に表示要素１１を配置することができる。その後、単位要素３０に向き合うように太陽電池パネル５０を設置する。これにより、太陽電池複合型表示体１０が得られる。
【００４０】
このようにして得られる太陽電池複合型表示体１０は、様々な用途で利用可能であり、例えば、屋外看板、道路情報掲示板、建築物の外壁面などで用いられる数ｍ〜数十ｍサイズの大型パネル用途や、ポスター、標識、建築物の内壁面などで用いられる数十ｃｍ〜数ｍサイズの中型パネル用途や、卓上スタンド、携帯端末などで用いられる数ｃｍ〜数十ｃｍの小型パネル用途などを例示することができる。
【００４１】
次に、主として、図２及び図３を参照しながら、太陽電池複合型表示体１０の作用について説明する。太陽電池複合型表示体１０は、例えば、単位要素３０の配列方向である第１方向ｄ１が鉛直方向に沿うとともに第２方向ｄ２が水平方向に沿うようにして、配置される。このとき、第１方向ｄ１における第１側１ｓが、鉛直方向における上側に位置し、第１方向ｄ１における第２側２ｓが、鉛直方向における下側に位置し、第２方向ｄ２における第３側３ｓが、水平方向における西側に位置し、第２方向ｄ２における第４側４ｓが、水平方向における東側に位置するように、太陽電池複合型表示体１０が設置される。
【００４２】
まず、図２によく示されているように、法線方向ｎｄに対して第１方向ｄ１における第１側１ｓ、すなわち鉛直方向における上側に傾斜した第１角度範囲ＡＲ１内の方向から太陽電池複合型表示体１０に向かう光Ｌ２１，Ｌ２２、例えば昼間の太陽光は、太陽電池複合型表示体１０の表面１０ａのうちの、表示要素１１が設けられていない第１面３２ａに入射し易くなる。また、法線方向ｎｄに対して第１方向ｄ１における第２側２ｓ、すなわち鉛直方向における下側に傾斜した第２角度範囲ＡＲ２内の方向から太陽電池複合型表示体１０に向かう光Ｌ２３，Ｌ２４、例えば太陽光が路面や屋根等で反射した照り返しの光は、太陽電池複合型表示体１０の表面１０ａのうちの、表示要素１１が設けられていない第２面３２ｂに入射し易くなる。これら表示面１２に入射しなかった光Ｌ２１，Ｌ２２，Ｌ２３，Ｌ２４は、屈折しながら第１面３２ａ又は第２面３２ｂを透過し、太陽電池パネル５０に入射することができる。すなわち、この太陽電池複合型表示体１０によれば、単位要素３０の第１面３２ａ及び第２面３２ｂを介して、太陽光を太陽電池パネル５０に有効に取り込み、高効率で発電することができる。
【００４３】
なお、下記の表１は、世界の幾つかの国の主要な都市における季節ごとの南中高度（°）を示している。表１中の緯度はすべて北緯である。また、表１中の経度は、東経が＋（プラス）で、西経が−（マイナス）で表されている。使用が想定される国の主要な都市における春分秋分の南中高度が第２角度範囲ＡＲ２に含まれることが好ましい。その国で有効に使用できる可能性が高いからである。例えば、使用されることが想定される国が日本の場合は５４°から５６°までの高度が第２角度範囲ＡＲ２に含まれるようにすればよい。さらに、４９°から６１°までの高度が第２角度範囲ＡＲ２に含まれるようにすれば、世界の多くの国で有効に使用できる可能性が高いため、好ましい。また、使用が想定される国の主要な都市における夏至の南中高度から冬至の南中高度までが第２角度範囲ＡＲ２に含まれることがさらに好ましい。その国で一年を通して有効に使用できる可能性が高いからである。例えば、使用されることが想定される国が日本の場合は３１°から７９°までの高度が第２角度範囲ＡＲ２に含まれるようにすればよい。さらに、２５°から８４°までの高度が第２角度範囲ＡＲ２に含まれるようにすれば、世界の多くの国で有効に使用できる可能性が高いため、好ましい。なお、所望の高度が第２角度範囲ＡＲ２に含まれることを容易にするために、第２角度範囲ＡＲ２の角度範囲が４５°程度以上連続していることが好ましい。もっとも、太陽電池複合型表示体１０を傾けて配置することによって、所望の高度を第２角度範囲ＡＲ２に含まれるようにすることも可能である。一方、第２角度範囲ＡＲ２の角度範囲の上限については、第１角度範囲ＡＲ１とのバランスで適宜設定すればよいが、１３５°程度未満とすることによって、本実施形態の太陽電池複合型表示体１０の特長をより発揮させることができる。
【００４４】
【表１】
2017181966.tif 000003
【００４５】
ところで、太陽は、季節に応じて南中高度を変化させるだけではない。太陽の位置は、日中大きく変化していく。太陽は、東の低高度の位置から南の高高度の位置へ移動し、その後、西の低高度の位置へ移動する。したがって、正午頃、太陽電池複合型表示体１０には、法線方向ｎｄから第１側１ｓに傾斜した方向から太陽光が、入射しやすくなり、既に図２を参照して説明したように、このような光Ｌ２１，Ｌ２２は、単位要素３０の第１面３２ａを透過して太陽電池パネル５０に導かれ、太陽電池パネル５０での発電に利用され得る。一方、朝方及び夕方には、太陽光は低高度に位置していることから、太陽電池パネル５０に向かう太陽光を単位要素３０の第１面３２ａを介して効率的に取り込むことは不可能である。
【００４６】
一方、図３に示されているように、要素面３１の１つの横側面３５（第３面３２ｃ）に配置された表示要素１１の表示面１２は、当該表示面１２の横側（西側）から視認され易くなる。図３に示す例において、第２方向ｄ２における第３側３ｓとなる表示面１２の第３側端部１２ｃは、第２方向ｄ２における第４側４ｓとなる表示面１２の第４側端部１２ｄよりも、本体部４０の法線方向ｎｄに沿って本体部４０に近接している。すなわち、表示面１２は、第３側３ｓを向くように本体部４０のシート面に対して傾斜している。したがって、法線方向ｎｄに対して第２方向ｄ２における第３側３ｓ、すなわち水平方向における西側に傾斜した第３角度範囲ＡＲ３内の方向Ｄ３１，Ｄ３２から太陽電池複合型表示体１０を観察したときに、表示面１２を視認し易くなる。したがって、観察者は、法線方向ｎｄに対して第２方向ｄ２における第３側３ｓに傾斜した方向Ｄ３１，Ｄ３２から太陽電池複合型表示体１０を観察したときに、優れた視認性で表示対象１３を観察することができる。
【００４７】
一方、図３に示すように、表示面１２を視認し易い方向Ｄ３１，Ｄ３２とは異なる方向から太陽電池複合型表示体１０に入射する光Ｌ３１，Ｌ３２、すなわち法線方向ｎｄに対して第２方向ｄ２における第４側４ｓ、図示された例にあわせてさらに言い換えると、水平方向における東側に傾斜した方向から太陽電池複合型表示体１０に入射する光Ｌ３１，Ｌ３２は、表示面１２に入射し難い。このような光Ｌ３１，Ｌ３２は、単位要素３０の要素面３１のうちの第４面３２ｄに入射し易くなる。
【００４８】
図３に示す例において、第２方向ｄ２における第３側３ｓとなる第４面３２ｄの第３側端部は、第２方向ｄ２における第４側４ｓとなる第４面３２ｄの第４側端部よりも、本体部４０の法線方向ｎｄに沿って本体部４０から離間している。すなわち、第４面３２ｄは、第４側４ｓを向くように本体部４０のシート面に対して傾斜している。このため、法線方向ｎｄに対して第２方向ｄ２における第４側４ｓ、すなわち水平方向における東側に傾斜した第４角度範囲ＡＲ４内の方向から太陽電池複合型表示体１０に向かう光Ｌ３１，Ｌ３２は、太陽電池複合型表示体１０の表面１０ａのうちの、表示要素１１が設けられていない第４面３２ｄに入射しやすくなる。表示要素１１に覆われていない第４面３２ｄに入射した光Ｌ３１，Ｌ３２は、屈折しながら第４面３２ｄを透過し、太陽電池パネル５０に向かう。
【００４９】
このように、表示面１２を視認し易い方向Ｄ３１，Ｄ３２とは異なる方向となる第４角度範囲ＡＲ４から太陽電池複合型表示体１０に入射する光Ｌ３１，Ｌ３２を、主として太陽電池パネル５０に向けて透過させることで、水平方向において表示機能と発電機能の両立を図ることが可能となる。本体部４０の法線方向ｎｄよりも、第２方向ｄ２における第３側３ｓから太陽電池複合型表示体１０の表面１０ａを観察した場合、すなわち図４に示された状態では、同一の表面積を有する第１面３２ａ、第２面３２ｂ、第３面３２ｃ及び第４面３２ｄのうち、第３面３２ｃが最も大きく観察され、第４面３２ｄが最も小さく観察される。すなわち、濃紺色や黒色の単一色である受光面５０ａを有することで周囲環境となじみにくい太陽電池パネル５０を目立たなくしながら、発電を実施することができる。
【００５０】
なお、光制御シート２０の設置位置や設置角度によっては、上述してきた例と異なり、第２方向ｄ２における第３側３ｓ（西側）となる方向以外の方向（例えば第２方向ｄ２における第４側４ｓ（東側）となる方向）、或いは、第３側３ｓとなる方向に加えて第３側３ｓ以外の他の方向（例えば第２方向ｄ２における第３側３ｓとなる方向及び第４側４ｓとなる方向）からも、表示要素１１によって表示される表示対象１３が観察されることが好ましい場合がある。その場合には、単位要素３０の要素面３１のうちの、表示対象１３が観察されることが好ましい方向に応じた面上に表示要素１１を設けることが好ましい。また、例えば、単位要素３０の第１面３２ａ〜第４面３２ｄのうちの２以上を表示要素１１で覆う場合には、第１面３２ａ〜第４面３２ｄのうちの１つの面に配置された表示要素１１によって表示される表示対象１３と、他の面に配置された表示要素１１によって表示される表示対象１３と、を同一としてもよいし、異なるものとしてもよい。異なるものとした場合には、太陽電池複合型表示体１０を観察する方向を変化させることによって、異なる表示対象１３を観察することが可能となる。
【００５１】
以上に説明した第１の実施形態において、太陽電池複合型表示体１０は、対向する一対の主面４０ａ，４０ｂを有したシート状の本体部４０と、本体部４０の一対の主面４０ａ，４０ｂのいずれかに対向して配置された太陽電池パネル５０と、を備え、本体部４０の一方の主面４０ａ上に、本体部４０のシート面及び水平方向の両方に対して平行な方向に対して傾斜した複数の表示面１２が配列されている。とりわけ本実施形態の太陽電池複合型表示体１０は、本体部４０の一方の主面４０ａ上に配列され、各々が凸部又は凹部を形成する、複数の単位要素３０を有し、各表示面は、各単位要素の表面上に配置されている。したがって、表示面１２が太陽電池パネル５０を特定の方向から遮り、当該方向から表示面１２が観察されるようにすることができる。その一方で、表示面１２で遮られない表示方向以外の方向からの光が、表示面１２で遮られることなく、太陽電池パネル５０による発電に有効に活用されるようにすることができる。したがって、太陽電池パネル５０を目立たなくすることで周囲の環境との調和を図ると共に、表示面１２による表示及び太陽電池パネル５０による発電の両立を図ることが可能となる。また、表示面１２が、単位要素３０の横側面３５の少なくとも一部を覆うように配置されていることにより、横方向から表示面１２が観察されるようにすることができる。
【００５２】
また、この太陽電池複合型表示体１０では、さらに、複数の単位要素３０が、一方の主面４０ａ上の少なくとも一方向に沿って配列されている。とりわけ本実施形態の太陽電池複合型表示体１０では、複数の単位要素３０が、一方の主面４０ａと平行な第１方向ｄ１と、一方の主面４０ａと平行且つ第１方向ｄ１と交差する第２方向ｄ２と、に密着して配列されている。したがって、第１方向ｄ１における一方の側１ｓに傾斜した方向及び第１方向ｄ１における他方の側２ｓに傾斜した方向のうちの一方を発電用の太陽光入射方向とし、他方を表示方向として使いわけることに加え、さらに、第２方向ｄ２における一方の側３ｓに傾斜した方向及び第２方向ｄ２における他方の側ｓ４に傾斜した方向を、それぞれ、発電用の太陽光入射方向又は表示方向として利用することができる。すなわち、発電用の太陽光入射方向及び表示方向を細かく区分けすることが可能となる。これにより、この太陽電池複合型表示体１０において発電に利用される太陽光の入射方向及び表示方向の調節の自由度を向上させることができる。結果として、太陽電池パネル５０での発電量の制御及び表示面１２の視野角の制御を高精度に実施することができる。
【００５３】
また、上述した第１の実施形態において、単位要素３０が、錐体形状となる凸部を形成する。したがって、錐体形状の側面を表示要素１１でどの程度覆うかにより、発電用の太陽光入射方向及び表示方向を高い自由度で区分けすることが可能となる。これにより、発電に利用される太陽光の入射方向及び表示方向の調節の自由度をより向上させることができる。
【００５４】
とりわけ、単位要素３０が、角錐形状となる凸部を形成する場合には、発電に利用される太陽光の入射方向及び表示方向をより明瞭に区分けすることができる。これにより、太陽電池パネル５０を効果的に目立たなくしながら、表示要素１１による効果的な表示及び太陽電池パネル５０による高効率での発電を実現することが可能となる。
【００５５】
また、複数の単位要素３０が、互いに隣接して配列されている、典型的には、本体部４０の一方の面上に隙間無く配列されているので、太陽電池パネル５０をより目立たなくさせることができる。
【００５６】
なお、上述した実施形態に対して様々な変更を加えることが可能である。以下、適宜図面を参照しながら、変形の一例について説明する。以下の説明及び以下の説明で用いる図面では、上述した実施形態と同様に構成され得る部分について、上述の実施形態における対応する部分に対して用いた符号と同一の符号を用いることとし、重複する説明を省略する。
【００５７】
上述の実施形態において、単位要素３０が、本体部４０の太陽電池パネル５０側を向く第２面４０ｂとは反対側の第１面４０ａ上に、設けられている例を示した。しかしながら、図５に示すように、単位要素３０は、本体部４０の太陽電池パネル５０側を向く第２面４０ｂ上に、設けられても良い。図５に示された例において、本体部４０は、一対の主面としての第１面４０ａ及び第２面４０ｂを有しており、このうち第１面４０ａが、太陽電池複合型表示体１０の表面１０ａ及び光制御シート２０の表面を形成している。複数の単位要素３０は、本体部４０の第２面４０ｂ上に二次元配列されている。
【００５８】
図５に示された例において、各表示要素１１は、対応する単位要素３０の１つの横側面３５（第４面３２ｄ）を覆うように、設けられている。表示要素１１は、単位要素３０に対面する側の面に、表示面１２を有している。したがって、上述の第１の実施形態と同様に、法線方向ｎｄに対して第２方向ｄ２における第３側３ｓに傾斜した第３角度範囲ＡＲ３内の方向から、表示面１２に形成された表示対象１３を観察することができる。
【００５９】
また、表示要素１１は、対応する単位要素３０の第３面３２ｃを覆っていない。この第３面３２ｃは、第２方向ｄ２における第３側３ｓの端部において、第４側４ｓの端部よりも、法線方向ｎｄに沿って本体部４０に近接して太陽電池パネル５０から離間している。したがって、第３角度範囲ＡＲ３内の方向Ｄ５１からは、光制御シート２０の第３面３２ｃを介して太陽電池パネル５０を観察し難くなっている。すなわち、表示対象１３を観察し易い方向からは、太陽電池パネル５０の受光面５０ａは観察され難くなっている。一方、法線方向ｎｄから第２方向ｄ２における第４側４ｓに傾斜した第４角度範囲ＡＲ４内の方向の光Ｌ５１は、光制御シート２０を透過して、太陽電池パネル５０に入射し易くなっている。
【００６０】
なお、図５に示された太陽電池複合型表示体１０においても、上述の第１の実施形態と同様に、太陽電池複合型表示体１０の設置位置に応じて、表示要素１１は、単位要素３０の第１面３２ａ及び第２面３２ｂを覆うことができる。
【００６１】
次に、図６を参照して、別の変形例を説明する。上述の第１の実施形態では、単位要素３０の要素面３１が、平坦面を含む例を示したが、これに限られない。図６に示すように、要素面３１が曲面状に形成されていてもよい。図６に示された例において、単位要素３０は、例えば半球状の形状を有し、本体部４０の第２面４０ｂ上に二次元配列されている。半球面状の要素面３１は、第２方向ｄ２における第４側４ｓに位置する第４側領域３３ａと、第２方向ｄ２における第３側３ｓに位置する第３側領域３３ｂと、を含んでいる。表示要素１１は、第４側領域３３ａを覆うようにして要素面３１上に設けられている。図４に示された例と同様に、法線方向ｎｄに対して第２方向ｄ２における第３側３ｓに傾斜した第３角度範囲ＡＲ３内の方向Ｄ６１から、表示面１２に形成された表示対象１３は観察され易く、その一方で、太陽電池パネル５０は観察され難くなる。また、法線方向ｎｄに対して第２方向ｄ２における第４側４ｓに傾斜した第４角度範囲ＡＲ４内の方向からの光Ｌ６１，Ｌ６２は、光制御シート２０を透過して、太陽電池パネル５０に入射し易くなっている。
【００６２】
また、図６に示された例において、曲面状の要素面３１は、太陽電池パネル５０の受光面５０ａに向かう光を拡散させる拡散機能を有している。要素面３１の光拡散機能により、受光面５０ａの全域により均一に太陽光が入射し、これにより、太陽電池パネル５０での発電効率を改善することができる。とりわけ、図示された例において、太陽電池パネル５０は、要素面３１の焦点位置ｆｐよりも法線方向ｎｄに沿って光制御シート２０から離間している。したがって、このような配置によれば、太陽電池複合型表示体１０に入射して太陽電池パネル５０に向かう平行光束に含まれる光Ｌ６１，Ｌ６２が、集光位置ｘｐに集光した後に拡がった状態で太陽電池パネル５０に到達する。このため、太陽電池複合型表示体１０に入射する太陽光を、太陽電池パネル５０の広い領域に到達させることに寄与する。
【００６３】
なお、図６に示された例において、曲面状の要素面３１を含んだ単位要素３０が、本体部４０の第２面４０ｂ上に配置されている例を示したが、これに限られず、本体部４０の第１面４０ａ上に配置されていてもよい。
【００６４】
次に、図７を参照して、別の変形例を説明する。上述の第１の実施形態において、単位要素３０が凸部を形成する例を示したが、この限られず、単位要素３０が凹部を形成するようにしてもよい。図７に示された例において、本体部４０の一方の主面４０ａ上に、光学要素部２５が形成されている。光学要素部２５は、本体部４０上に二次元配列された複数の単位要素３０を有している。図示された例において、複数の単位要素３０は、一体的に形成されている。単位要素３０は凹部を含んでおり、この凹部の内面が要素面３１を形成している。図示された例において、要素面３１は、半球面状となっている。半球面状の要素面３１は、第２方向ｄ２における第４側４ｓに位置する第４側領域３３ａと、第２方向ｄ２における第３側３ｓに位置する第３側領域３３ｂと、を含んでいる。表示要素１１は、第４側領域３３ａを覆うようにして要素面３１上に設けられている。法線方向ｎｄに対して第２方向ｄ２における第３側３ｓに傾斜した第３角度範囲ＡＲ３内の方向Ｄ７１から、表示面１２に形成された表示対象１３は観察され易く、その一方で、太陽電池パネル５０は観察され難くなる。また、法線方向ｎｄに対して第２方向ｄ２における第４側４ｓに傾斜した第４角度範囲ＡＲ４内の方向からの光Ｌ７１，Ｌ７２は、光制御シート２０を透過して、太陽電池パネル５０に入射し易くなっている。
【００６５】
なお、図７に示された例において、曲面状の要素面３１を含んだ単位要素３０が、本体部４０の第１面４０ａ上に配置されている例を示したが、これに限られず、本体部４０の第２面４０ｂ上に配置されていてもよい。また、図７に示された例において、凹部を形成する要素面３１が曲面状となっている例を示したが、これに限られず、凹部を形成する要素面３１が平坦面を含むようにしてもよい。
【００６６】
次に、引き続き図７を参照して、別の変形例を説明する。上述の第１の実施形態において、太陽電池パネル５０が、光制御シート２０から離間して別部材となっている例を示したが、これに限られない。図７に示すように、粘着剤６０等を介して、光制御シート２０及び太陽電池パネル５０を接合してもよい。このような例によれば、光制御シート２０及び太陽電池パネル５０の位置ずれを効果的に防止することができる。
【００６７】
別の変形例として、上述の第１の実施形態において、本体部４０のシート面に対して非平行な要素面３１が、光制御シート２０の表面又は裏面を形成する例を示したが、この例に限られない。単位要素３０の要素面３１によって形成される光学要素部２５の凹凸面を、樹脂封止するようにしてもよい。光制御シート２０の表面又は裏面を平坦面とすることで、粉塵等の汚れの堆積を効果的に防止することができ、また、清掃作業を容易化することも可能となる。
【００６８】
別の変形例として、上述の第１の実施形態において、太陽電池パネル５０は、光制御シート２０に対向し、且つ、光制御シート２０から離間して配置されている例を示したが、この例に限られない。太陽電池パネル５０は、粘着剤や接着剤等を介して光制御シート２０に対して接合されていてもよい。このような例によれば、光制御シート２０及び太陽電池パネル５０の位置ずれを効果的に防止することができる。
【００６９】
さらに別の変形例として、上述の第１の実施形態において、単位要素３０が四角錐形状となる凸部を形成する例を示したが、これに限られず、図８に示すように、単位要素３０が、四角錐から頂点を含む一部分を取り除いた形状となる、凸部又は凹部を形成するようにしてもよい。図８に示された例では、単位要素３０が、四角錐台形状となる凸部を形成している。単位要素３０を錐台形状とすることで、要素面３１に含まれる面が増える。したがって、表示対象１３の表示方向（視認方向）にさらに高い自由度を付与することができる。
【００７０】
さらに別の変形例として、上述の第１の実施形態において、単位要素３０が四角錐形状となる凸部を形成する例を示したが、これに限られず、図９及び図１０に示された例のように、単位要素３０が、三角錐形状となる凸部又は凹部を形成するようにしてもよい。この例において、単位要素３０の要素面３１は、三つの平坦面を有している。以下、図９及び図１０に示された具体例について説明する。複数の単位要素３０は、互いに非平行な第１方向ｄ１、第２方向ｄ２及び第３方向ｄ３に配列されている。この単位要素３０は、三角錐形状の凸部を形成しており、本体部４０上に位置する底面が正三角形となっている。また、要素面３１に含まれる三つの平坦面は、同一形状となっている。図９に示された例において、複数の単位要素３０は、第１群の単位要素３０ａ及び第２群の単位要素３０ｂに区別され得る。第１群の単位要素３０ａ及び第２群の単位要素３０ｂは、同一形状を有するものの、向きが異なっている。複数の第１群の単位要素３０ａは、互いに同一に構成され、第１方向ｄ１、第２方向ｄ２及び第３方向ｄ３に一定のピッチで配列されている。また、複数の第２群の単位要素３０ｂは、互いに同一に構成され、第１方向ｄ１、第２方向ｄ２及び第３方向ｄ３に一定のピッチで配列されている。図９及び図１０に示された例では、単位要素３０の要素面３１は、六つの方向を向く平坦面を有するようになる。したがって、表示対象１３の表示方向（視認方向）にさらに高い自由度を付与することができる。また、図９及び図１０に示された例において、複数の単位要素３０が隙間を空けることなく本体部４０の一方の面上に配列されている。したがって、太陽電池パネル５０の受光面５０ａを効果的に目立たなくすることが可能となる。
【００７１】
なお、単位要素３０は、三角錐形状となる凸部又は凹部を形成することに代えて、例えば図１１に示すように、三角錐から頂点を含む一部分を取り除いた形状となる、凸部又は凹部を形成するようにしてもよい。図１１に示された例では、単位要素３０が、三角錐台形状となる凸部を形成している。単位要素３０を錐台形状とすることで、要素面３１に含まれる面が増える。したがって、表示対象１３の表示方向（視認方向）にさらに高い自由度を付与することができる。
【００７２】
さらに別の変形例として、単位要素３０は、四角や三角以外の角錐形状又は角錐から頂点を含む一部分を取り除いた形状となる、凸部又は凹部を形成するようにしてもよい。一例として、図１３に示された単位要素３０は、六角錐形状となる凸部を形成している。また、図１４に示された単位要素３０は、六角錐から頂点を含む一部分を取り除いた形状となる凸部を形成している。とりわけ図１４に示された単位要素３０は、六角錐台となる凸部を形成している。図１３及び図１４に示された単位要素３０は、一例として、図１２に示すように、互いに非平行な第１方向ｄ１、第２方向ｄ２及び第３方向ｄ３に配列することができる。単位要素３０の底面をなす六角形が正六角形である場合には、第１方向ｄ１、第２方向ｄ２及び第３方向ｄ３が互いに対して６０°傾斜することで、本体部４０上に隙間無く単位要素３０を配列することができる。図１２〜図１４に示された例では、単位要素３０の要素面３１は、六つの方向を向く平坦な側面を有するようになる。したがって、表示対象１３の表示方向（視認方向）にさらに高い自由度を付与することができる。
【００７３】
単位要素３０が、角錐形状又は角錐から頂点を含む一部分を取り除いた形状となる、凸部又は凹部を形成する場合には、発電に利用される太陽光の入射方向及び表示方向をより明瞭に区分けすることができる。これにより、太陽電池パネル５０を効果的に目立たなくしながら、表示要素１１による効果的な表示及び太陽電池パネル５０による高効率での発電を実現することが可能となる。とりわけ、各単位要素３０が、三角錐形状、四角錐形状、六角錐形状、又は、これらの角錐から頂点を含む一部分を取り除いた形状となる、凸部又は凹部を形成する場合、複数の単位要素３０を本体部４０の一方の面上に隙間無く配列することが可能となる。これにより、太陽電池パネル５０をより効果的に目立たなくさせることができる。
【００７４】
さらに別の変形例として、図１５及び図１６に示すように、単位要素３０は、円錐形状または円錐から頂点を含む一部分を取り除いた形状となる、凸部又は凹部を形成するようにしてもよい。この例では、側面を表示要素１１でどの程度覆うかを無段階的に調節することにより、発電用の太陽光入射方向および表示方向をより高い自由度で区分けすることが可能となる。これにより、発電に利用される太陽光の入射方向及び表示方向の調節の自由度をより向上させることができる。図１５及び図１６に示された単位要素３０は、上述の一実施形態で示した具体例のように直交する二方向に配列されてもよいし、図１２に示すように非平行な三つの方向に配列されてもよい。なお、図１６に示された具体例において、単位要素３０は、円錐台となる凸部を形成している。
【００７５】
さらに、別の変形例として、図１７及び図１８に示すように、単位要素３０は、球の一部分をなす形状となる、凸部又は凹部を形成するようにしてもよい。この例では、側面を表示要素１１でどの程度覆うかを無段階的に調節することにより、発電用の太陽光入射方向および表示方向をより高い自由度で区分けすることが可能となる。これにより、発電に利用される太陽光の入射方向及び表示方向の調節の自由度をより向上させることができる。図１７及び図１８に示された単位要素３０は、上述の一実施形態で示した具体例のように直交する二方向に配列されてもよいし、図１２に示すように非平行な三つの方向に配列されてもよい。なお、図１７に示された例において、単位要素３０は半球となっている。また、図１８に示された具体例において、単位要素３０の底面と上面は平行となっている。
【００７６】
図１５〜図１８に示された例では、要素面３１の側面３１ａのうちの一部分が、本体部４０のシート面に対して水平方向に傾斜する。すなわち当該部分が横側面３５となる。このような例においても、表示要素１１を、単位要素３０の横側面３５の少なくとも一部を覆うように配置することにより、横方向から表示要素１１が観察されるようにすることができる。
【００７７】
さらに、別の変形例として、図１９に示すように、単位要素３０が、立方体、立方体の一部分、直方体、直方体の一部分、斜方晶、斜方晶の一部分、円柱や三角柱等の柱体、又は、柱体の一部をなす形状、すなわち種々の立体形状となる、凸部又は凹部を形成するようにしてもよい。この例によれば、発電に利用される太陽光の入射方向及び表示方向を明瞭に区分けすることができる。これにより、太陽電池パネル５０を効果的に目立たなくしながら、表示要素による効果的な表示及び太陽電池パネルによる高効率での発電を実現することが可能となる。図１９に示された例において、単位要素３０は、立方体をなす形状となる凸部からなり、複数の単位要素３０は、第１方向ｄ１及び第２方向ｄ２に規則的に配列されている。
【００７８】
さらに、別の変形例として、図２０〜図２８に示すように、単位要素３０が、柱状形状の凸部若しくは凹部、又は、柱状形状の凸部若しくは凹部の軸線方向ａｄの端面を本体部４０の法線方向ｎｄに対して傾斜するように面取りした形状、を形成するようにしてもよい。ここで柱状形状とは、一定の断面形状で軸線方向ａｄに延びる部分を含む立体形状である。典型的な柱状形状の単位要素３０として、柱体を挙げることができる。また、一方又は両方の端部で先細りし且つその中間部分において柱体となる立体形状も、柱状形状に含まれる。図２３、図２４及び図２７に示された例において、単位要素３０は、三角柱となっており、図２８に示された例において、単位要素３０は、半円柱となっている。また、図２０、図２１及び図２５に示された例において、単位要素３０は、三角柱の軸線方向ａｄの端面を本体部４０の法線方向ｎｄに対して傾斜するように面取りした形状となっており、図２２及び図２６に示された例において、単位要素３０は、半円柱の軸線方向ａｄの端面を本体部４０の法線方向ｎｄに対して傾斜するように面取りした形状となっている。いずれの例においても、単位要素３０は、その軸線方向ａｄが、本体部４０の一方の面４０ａに沿うようにして延びている。
【００７９】
まず、図２０〜図２４に示された例において、複数の単位要素３０は、柱状形状の軸線方向ａｄが第１方向ｄ１に沿うようにして第１方向ｄ１に配列され、且つ、第２方向ｄ２に間隔をあけて又は隣接して配列されている。図２０及び図２３に示された例において、複数の単位要素３０は、第２方向ｄ２に隣接して配列されている。結果として、図２０及び図２３に示された例において、複数の単位要素３０は、格子配列で配列されている。一方、図２１、図２２及び図２４に示された例において、複数の単位要素３０は、第２方向ｄ２に間隔をあけて配列されている。また、図２１、図２２及び図２４に示された例において、複数の単位要素３０は、千鳥配列で配列されている。なお、図２０〜図２２に示された例では、第２方向ｄ２が鉛直方向に沿うとともに第１方向ｄ１が水平方向に沿うようにして、太陽電池複合型表示体１０が設置されている。また、図２３及び図２４に示された例では、第１方向ｄ１が鉛直方向に沿うとともに第２方向ｄ２が水平方向に沿うようにして、太陽電池複合型表示体１０が設置されている。
【００８０】
図２５〜図２８に示された例において、複数の単位要素３０は、柱状形状の軸線方向ａｄが第１方向ｄ１に沿うようにして、且つ、第２方向ｄ２に隣接して配列されている。なお、図２５及び図２６に示された例では、第２方向ｄ２が鉛直方向に沿うとともに第１方向ｄ１が水平方向に沿うようにして、太陽電池複合型表示体１０が設置されている。また、図２７及び図２８に示された例では、第１方向ｄ１が鉛直方向に沿うとともに第２方向ｄ２が水平方向に沿うようにして、太陽電池複合型表示体１０が設置されている。
【００８１】
図２０〜図２８に示された例によれば、単位要素３０の軸線方向ａｄにおける端面及び柱状形状の露出した側面が、要素面３１をなしている。表示要素１１を、要素面３１の横側面３５の少なくとも一部を覆うように配置することにより、横方向から表示要素１１が観察されるようにすることができる。また、柱状形状の凸部又は凹部をなす単位要素３０は、成形性に優れることから、高精度に作製することができる。これにより、太陽電池パネル５０を効果的に目立たなくしながら、表示要素による効果的な表示及び太陽電池パネル５０による高効率での発電を実現することが可能となる。
【００８２】
（第２の実施形態）
図２９〜図３７は、第２の実施形態及びその変形例を説明するための図である。このうち図２９は、本実施形態の太陽電池複合型表示体１０の構成を示す斜視図であり、図３０は、図２９のＸＸＸ−ＸＸＸ線に対応する、太陽電池複合型表示体１０の横断面図である。以下の説明及び以下の説明で用いる図面では、第１の実施形態と同様に構成され得る部分について、第１の実施形態における対応する部分に対して用いた符号と同一の符号を用い、重複する説明を省略することがある。
【００８３】
図２９に示されているように、本実施形態の太陽電池複合型表示体１０は、対向する一対の主面４０ａ，４０ｂを有したシート状の本体部４０を有する光制御シート２０と、光制御シート２０の本体部４０の主面４０ｂに対向して配置された太陽電池パネル５０と、を有している。図示された例では、太陽電池複合型表示体１０の本体部４０の内部に、本体部４０のシート面及び水平方向の両方に対して平行な方向に対して傾斜して配列された複数の表示要素１１が設けられている。図示された例では、本体部４０の内部に、複数の単位要素３０が設けられており、各表示要素１１は、各単位要素の要素面３１上に設けられている。各表示要素１１は、表示を行うための表示面１２を有している。したがって、図示された例では、太陽電池複合型表示体１０の本体部４０の内部に、本体部４０のシート面及び水平方向の両方に対して平行な方向に対して傾斜した複数の表示面１２が配列されている。
【００８４】
本実施形態による太陽電池複合型表示体１０の構成及び作用効果について説明する。図３０に示すように、角度範囲ＡＲ３内の方向Ｄ３０１，Ｄ３０２から太陽電池複合型表示体１０を観察すると、主として本体部４０の内部に配列された表示要素１１が観察される。したがって、表示要素１１は、角度範囲ＡＲ３から太陽電池複合型表示体１０を観察する観察者に対して主として表示機能を発揮する。一方、別の角度範囲ＡＲ４内の方向から入射した光Ｌ３０１，Ｌ３０２は、主として本体部４０を透過して、太陽電池パネル５０に導かれる。したがって、太陽電池パネル５０は、角度範囲ＡＲ４から太陽電池複合型表示体１０へ入射する光に対して主として発電機能を発揮する。
【００８５】
以上のように、この太陽電池複合型表示体１０によれば、観察者からの観察方向と外光の入射方向との相違を利用して、観察者が表示要素１１を観察する際に太陽電池パネル５０が視認されることを抑制し、周囲との調和を図りながら太陽電池パネル５０で発電することを可能にしている。とりわけ図３０に示された例では、本体部４０の内部に、本体部４０のシート面及び水平方向の両方に対して平行な方向に対して傾斜した複数の表示面１２が配列されており、これにより、横方向から表示対象１３が視認されることを可能にしている。
【００８６】
以下、本実施形態の太陽電池複合型表示体１０を構成する各部材の構成及び作用効果についてさらに詳述する。
【００８７】
光制御シート２０は、シート状の本体部４０を有している。本体部４０は、互いに対向する一対の主面として、第１面４０ａ及び第２面４０ｂを有している。本体部４０の第１面４０ａは、太陽電池複合型表示体１０の表面１０ａを形成している。本体部４０の第２面４０ｂは、太陽電池パネル５０の受光面５０ａに対向している。なお、図２９〜図３７に示した例では、本体部４０及び太陽電池パネル５０が、本体部４０の第２面４０ｂと太陽電池パネル５０の受光面５０ａとが接するようにして配置されているが、これに限られず、本体部４０及び太陽電池パネル５０は、互いに離間して、すなわち本体部４０の第２面４０ｂと太陽電池パネル５０の受光面５０ａとの間に隙間を有して、配置されてもよい。また、本体部４０の第１面４０ａ又は第２面４０ｂ上に、太陽電池複合型表示体１０へ入射する光を太陽電池パネル５０へ効果的に導くためのレンズ機能を発揮する凸部又は凹部が設けられていてもよい。
【００８８】
本体部４０内には、複数の単位要素３０が設けられている。各単位要素３０は、本体部４０のシート面と平行な第１方向ｄ１に沿って延び、本体部４０のシート面と平行且つ第１方向ｄ１と交差する方向、とりわけ本体部４０のシート面と平行且つ第１方向ｄ１と直交する第２方向ｄ２に沿って配列されている。図３に示された例では、隣り合う２つの単位要素３０が、第２方向ｄ２に沿って密着して配列されている。図示された例では、各単位要素３０の要素面３１は、第２方向ｄ２の第３側３ｓに傾斜した第１面３２ａと、第２方向ｄ２の第４側４ｓに傾斜した第２面３２ｂと、を有している。要素面３１の第１面３２ａ及び第２面３２ｂは、本体部４０のシート面及び水平方向の両方に対して平行な方向に対して傾斜している。したがって、要素面３１の第１面３２ａ及び第２面３２ｂは、それぞれ横側面３５をなしている。図示された例では、要素面３１の第２面３２ｂ上に表示要素１１が設けられている。
【００８９】
各表示要素１１は、表示を行うための表示面１２を有している。各表示要素１１は、本体部４０の内部に、本体部４０のシート面及び水平方向の両方に対して平行な方向に対して傾斜して配置されている。したがって、各表示要素１１の表示面１２も、本体部４０のシート面及び水平方向の両方に対して平行な方向に対して傾斜して配置されている。図２９及び図３０に示された例では、複数の表示面１２は、本体部４０の内部に、本体部４０のシート面と平行な第２方向ｄ２に沿って配列され、本体部４０のシート面と平行且つ第２方向ｄ２と交差する方向、とりわけ本体部４０のシート面と平行且つ第２方向ｄ２と直交する第１方向ｄ１、に延びている。図示された例では、各表示面１２は、本体部４０の第１面４０ａに近づくにしたがって第２方向ｄ２の一方側（第３側３ｓ）に向かうように傾斜した平面状に形成されている。なお、図２９〜図３７では、第１方向ｄ１が鉛直方向と平行をなし、第２方向ｄ２が水平方向と平行をなすように、太陽電池複合型表示体１０が配置されたものを示している。
【００９０】
図３０から理解されるように、表示面１２は、法線方向ｎｄに対して第４側４ｓ（東側）に傾斜した方向Ｄ３０１，Ｄ３０２から観察したときに、視認され易くなる。したがって、表示面１２からの表示機能は、法線方向ｎｄに対して第４側４ｓに傾斜した方向（横方向）Ｄ３０１，Ｄ３０２から観察されたときに、効果的に発揮されるようになる。一方、法線方向ｎｄに対して第３側３ｓ（西側）に傾斜した別の角度範囲ＡＲ４内の方向から入射した光Ｌ３０１，Ｌ３０２は、本体部４０の第１面４０ａを屈折しながら透過し、単位要素３０の第１面３２ａを透過して、太陽電池パネル５０に向かっていく。すなわち、第２方向ｄ２に隣り合う２つの表示要素１１間の領域は、入射する光を太陽電池パネル５０の受光面５０ａに導く光透過領域として機能する。
【００９１】
なお、図３０では、各表示面１２が、本体部４０の第１面４０ａに近づくにしたがって第２方向ｄ２の一方側（第３側３ｓ）に向かうように傾斜している例について説明したが、これに限られず、各表示要素１１が単位要素３０の第１面３２ａ上に設けられ、これにより、各表示面１２が、本体部４０の第１面４０ａに近づくにしたがって第２方向ｄ２の他方側（第４側４ｓ）に向かうように傾斜するように形成されてもよい。この場合、法線方向ｎｄに対して第３側３ｓ（西側）に傾斜した方向から太陽電池複合型表示体１０を観察する観察者に対して主として表示機能を発揮し、法線方向ｎｄに対して第４側４ｓ（東側）に傾斜した方向から太陽電池複合型表示体１０へ入射する光に対して主として発電機能を発揮する。
【００９２】
以上の構成からなる太陽電池複合型表示体１０は、一例として、次の方法にて製造することができる。まず、透明樹脂を成型することにより、ベース部４０２及びベース部４０２上に設けられた複数の単位要素３０を有する第１部分４０１を作製する。成型は、熱溶融押出加工や射出成型等を採用することができる。次に、各単位要素３０の第２面３２ｂ上に表示要素１１を形成する。一例として、インクジェット印刷によって、各単位要素３０の第２面３２ｂ上に表示要素１１を配置することができる。次に、各単位要素３０及び表示要素１１を覆うように、透明樹脂からなる第２部分４０５を設けて、本体部４０を作成する。その後、本体部４０の第２面４０ｂに向き合うように太陽電池パネル５０を設置する。これにより、太陽電池複合型表示体１０が得られる。
【００９３】
以上に説明した第２の実施形態において、太陽電池複合型表示体１０は、対向する一対の主面４０ａ，４０ｂを有したシート状の本体部４０と、本体部４０の一対の主面４０ａ，４０ｂのいずれかに対向して配置された太陽電池パネル５０と、を備え、本体部４０の内部に、本体部４０のシート面及び水平方向の両方に対して平行な方向に対して傾斜した複数の表示面１２が配列されている。とりわけ本実施形態の太陽電池複合型表示体１０は、複数の表示面１２は、本体部４０の内部に、本体部４０のシート面と平行な第２方向ｄ２に沿って配列されている。したがって、表示面１２が太陽電池パネル５０を特定の方向から遮り、当該方向から表示面１２が観察されるようにすることができる。その一方で、表示面１２で遮られない表示方向以外の方向からの光が、表示面１２で遮られることなく、太陽電池パネル５０による発電に有効に活用されるようにすることができる。したがって、太陽電池パネル５０を目立たなくすることで周囲の環境との調和を図ると共に、表示面１２による表示及び太陽電池パネル５０による発電の両立を図ることが可能となる。また、表示面１２が、単位要素３０の横側面３５の少なくとも一部を覆うように配置されていることにより、横方向から表示面１２が観察されるようにすることができる。
【００９４】
なお、上述した第２の実施形態に対して様々な変更を加えることが可能である。以下、適宜図面を参照しながら、変形の一例について説明する。以下の説明及び以下の説明で用いる図面では、上述した実施形態と同様に構成され得る部分について、上述の実施形態における対応する部分に対して用いた符号と同一の符号を用いることとし、重複する説明を省略する。
【００９５】
図３１〜図３７は、光制御シート２０を太陽電池パネル５０とともに示す斜視図であり、上述の第２の実施形態の各変形例について説明する図である。
【００９６】
一変形例として、上述の第２の実施形態では、各表示面１２が平面状に形成された例を示したが、これに限られず、各表示面１２が曲面状又は折れ面状に形成されていてもよい。例えば図３１には、各表示面１２が曲面状に形成されたものが示されている。図示された例では、各単位要素３０は半円柱状に形成され、その軸線が第１方向ｄ１と平行をなすように配置されている。各表示要素１１は、単位要素３０の横側面３５の少なくとも一部を覆うように形成されている。これにより、本体部４０の法線方向及び表示面１２の配列方向（第２方向ｄ２）の両方に平行な断面において、各表示面１２は、本体部４０の第１面４０ａに近づくにしたがって第２方向ｄ２の一方側に向かって曲がる曲線状に形成されている。また、各表示面１２は、本体部４０のシート面と平行且つ表示面１２の配列方向と交差する方向、とりわけ本体部４０のシート面と平行且つ表示面１２の配列方向と直交する方向（第１方向ｄ１）、に同一の断面形状を有して延びている。
【００９７】
図３１に示された太陽電池複合型表示体１０によれは、各表示面１２が曲面状に形成されているので、表示面１２を視認可能な角度範囲を広げることができる。したがって、観察者は、複数の表示面１２で構成される表示対象１３を、横方向のより広い角度範囲から観察することができる。すなわち、表示対象１３の視認性を効果的に向上させることができる。
【００９８】
他の変形例として、上述の第２の実施形態及び図３１を参照して説明した一変形例では、複数の表示面１２が、本体部４０のシート面と平行な第２方向ｄ２に沿って配列されたものを示したが、これに限られず、複数の表示面１２が、本体部４０のシート面と平行な第１方向ｄ１と、本体部４０のシート面と平行且つ第１方向ｄ１と交差する第２方向ｄ２と、に離隔又は密着して配列されていてもよい。図３２〜図３５には、複数の表示面１２が、本体部４０のシート面と平行な第１方向ｄ１に離隔して配列され、本体部４０のシート面と平行且つ第１方向ｄ１と交差する第２方向ｄ２にも離隔して配列されたものが示されている。また、図３６及び図３７には、複数の表示面１２が、本体部４０のシート面と平行な第１方向ｄ１に離隔して配列され、本体部４０のシート面と平行且つ第１方向ｄ１と交差する第２方向ｄ２に密着して配列されたものが示されている。なお、これに限られず、複数の表示面１２は、本体部４０のシート面と平行な第１方向ｄ１に密着して配列され、本体部４０のシート面と平行且つ第１方向ｄ１と交差する第２方向ｄ２に離隔して配列されてもよいし、複数の表示面１２は、本体部４０のシート面と平行な第１方向ｄ１に密着して配列され、本体部４０のシート面と平行且つ第１方向ｄ１と交差する第２方向ｄ２にも密着して配列されてもよい。
【００９９】
図３２及び図３３に示された例では、複数の表示面１２が、本体部４０のシート面と平行な第１方向ｄ１に離隔して配列され、本体部４０のシート面と平行且つ第１方向ｄ１と交差する第２方向ｄ２にも離隔して配列されている。図３２に示された例では、各表示面１２が、本体部４０の第１面４０ａに近づくにしたがって第２方向ｄ２の一方側に向かうように傾斜した平面状に形成されている。また、図３３に示された例では、各表示面１２が、本体部４０の第１面４０ａに近づくにしたがって第２方向ｄ２の一方側に向かって曲がる曲面状に形成されている。
【０１００】
図３４には、複数の表示面１２が、第１方向ｄ１及び第２方向ｄ２に千鳥状に配列されたものが示されている。図示された例では、各表示面１２は、本体部４０の第１面４０ａに近づくにしたがって第２方向ｄ２の一方側に向かって曲がる曲面状に形成されている。なお、これに限られず、各表示面１２は、本体部４０の第１面４０ａに近づくにしたがって第２方向ｄ２の一方側に向かうように傾斜した平面状に形成されていてもよい。
【０１０１】
図３５には、複数の表示面１２が、本体部４０のシート面と平行な第１方向ｄ１に離隔して配列され、本体部４０のシート面と平行且つ第１方向ｄ１と交差する第２方向ｄ２にも離隔して配列されたものが示されている。図示された例では、各単位要素３０は半円柱状に形成され、その軸線が第１方向ｄ１と平行をなすように配置されている。各表示要素１１は、単位要素３０の横側面３５の少なくとも一部を覆うように形成されている。図示された例では、各表示要素１１の表示面１２は、本体部４０の法線方向及び第２方向ｄ２の両方に平行な断面において半円状等の円弧状に形成され、第１方向ｄ１に同一の断面形状を有して延びている。したがって、図示された例では、各表示面１２は、半円筒状の形状をなしている。
【０１０２】
図３６には、複数の表示面１２が、本体部４０のシート面と平行な第１方向ｄ１に離隔して配列され、本体部４０のシート面と平行且つ第１方向ｄ１と交差する第２方向ｄ２に密着して配列されたものが示されている。図示された例では、各単位要素３０は、四角柱状に形成され、その軸線が第１方向ｄ１と平行をなすように配置されている。各単位要素３０は、本体部４０の法線方向及び第２方向ｄ２の両方に平行な断面において、その上底（相対的に短い側の底辺）が本体部４０の第１面４０ａ側を向き、下底（相対的に長い側の底辺）が本体部４０の第２面４０ｂ側を向く、台形状をなしている。各単位要素３０の要素面３１は、本体部４０のシート面及び水平方向の両方に対して平行な方向に対して傾斜した横側面３５と、本体部４０のシート面と平行をなす上面３６と、を有している。各表示要素１１は、単位要素３０の横側面３５の少なくとも一部を覆うように形成されている。このような例によれば、観察者は、複数の表示面１２で構成される表示対象１３を、横方向から観察することができるとともに、単位要素３０の上面３６を光透過面として利用することができるので、太陽電池パネル５０による発電効率を向上させることができる。なお、これに限られず、各表示要素１１は、単位要素３０の上面３６の少なくとも一部、も覆うように形成されてもよい。
【０１０３】
図３７には、複数の表示面１２が、本体部４０のシート面と平行な第１方向ｄ１に離隔して配列され、本体部４０のシート面と平行且つ第１方向ｄ１と交差する第２方向ｄ２に密着して配列されたものが示されている。図示された例では、各単位要素３０は、本体部４０の法線方向及び第２方向ｄ２の両方に平行な断面において、円弧状等の曲線状に形成され、本体部４０の法線方向及び第１方向ｄ１の両方に平行な断面において、円弧状等の曲線状に形成されている。とりわけ図示された例では、各単位要素３０は、本体部４０の法線方向及び第２方向ｄ２の両方に平行な断面において半円状に形成され、本体部４０の法線方向及び第１方向ｄ１の両方に平行な断面において、第１方向ｄ１の一側（上側）から他側（下側）に向かうにつれて本体部４０の第２面４０ｂに近づく円弧状に形成されている。各表示要素１１は、単位要素３０の横側面３５の少なくとも一部を覆うように形成されている。このような例によれば、各表示要素１１の表示面１２を視認可能な角度範囲を、横方向だけでなく下側にも広げることができる。したがって、観察者は、複数の表示面１２で構成される表示対象１３を、横方向及び下方向より広い角度範囲から観察することができる。すなわち、表示対象１３の視認性を効果的に向上させることができる。また、単位要素３０の第１方向ｄ１の一側（上側）を向く面を、光透過面として利用することができるので、太陽電池パネル５０による発電効率を向上させることができる。
【０１０４】
さらに他の変形例として、図３５〜図３７では、表示面１２を第１方向ｄ１及び第２方向ｄ２に格子状に配列した例を示したが、これに限られず、単位要素３０を第１方向ｄ１及び第２方向ｄ２に千鳥状に配列し、これにより表示面１２を第１方向ｄ１及び第２方向ｄ２に千鳥状に配列してもよい。
【０１０５】
なお、以上において上述した各実施形態に対するいくつかの変形例を説明してきたが、当然に、複数の実施例及び複数の変形例を適宜組み合わせて適用することも可能である。
【符号の説明】
【０１０６】
ｄ１    第１方向
１ｓ    第１側
２ｓ    第２側
ｄ２    第２方向
３ｓ    第３側
４ｓ    第４側
ｄ３    第３方向
ｎｄ    法線方向
ａｄ    軸線方向
１０    太陽電池複合型表示体
１０ａ  表面
１０ｂ  裏面
１１    表示要素
１２    表示面
１３    表示対象
２０    光制御シート
２５    光学要素部
３０    単位要素
３１    要素面
３１ａ  側面
３２ａ  第１面
３２ｂ  第２面
３２ｃ  第３面
３２ｄ  第４面
３３ａ  第１側領域
３３ｂ  第２側領域
３５    横側面
４０    本体部
４０ａ  第１面
４０ｂ  第２面
５０    太陽電池パネル
５０ａ  受光面
【図１】
2017181966.tif 000004
【図２】
2017181966.tif 000005
【図３】
2017181966.tif 000006
【図４】
2017181966.tif 000007
【図５】
2017181966.tif 000008
【図６】
2017181966.tif 000009
【図７】
2017181966.tif 000010
【図８】
2017181966.tif 000011
【図９】
2017181966.tif 000012
【図１０】
2017181966.tif 000013
【図１１】
2017181966.tif 000014
【図１２】
2017181966.tif 000015
【図１３】
2017181966.tif 000016
【図１４】
2017181966.tif 000017
【図１５】
2017181966.tif 000018
【図１６】
2017181966.tif 000019
【図１７】
2017181966.tif 000020
【図１８】
2017181966.tif 000021
【図１９】
2017181966.tif 000022
【図２０】
2017181966.tif 000023
【図２１】
2017181966.tif 000024
【図２２】
2017181966.tif 000025
【図２３】
2017181966.tif 000026
【図２４】
2017181966.tif 000027
【図２５】
2017181966.tif 000028
【図２６】
2017181966.tif 000029
【図２７】
2017181966.tif 000030
【図２８】
2017181966.tif 000031
【図２９】
2017181966.tif 000032
【図３０】
2017181966.tif 000033
【図３１】
2017181966.tif 000034
【図３２】
2017181966.tif 000035
【図３３】
2017181966.tif 000036
【図３４】
2017181966.tif 000037
【図３５】
2017181966.tif 000038
【図３６】
2017181966.tif 000039
【図３７】
2017181966.tif 000040